(57)【要約】    【課題】  暗号などが復号化された画像データの不正使用を困難なものとする。    【解決手段】  画像データ出力装置から出力される画像データを電気光学変調装置により変調して表示画像を生成する画像表示装置であって、前記画像データを補正するための補正パラメータを前記画像データ出力装置からの補正パラメータ送信要求に基づいて前記画像データ出力装置に出力する機能を有する補正パラメータ処理部１２と、前記画像データ出力装置が前記補正パラメータにより補正した補正済み画像データを入力し、該前記補正済み画像データを前記電気光学変調装置により変調して表示画像を生成する機能を有する画像表示処理部１１とを有する。【選択図】  図１
2006171390.tif 000002
【特許請求の範囲】
【請求項１】
画像データ出力装置から出力される画像データを電気光学変調装置により変調して表示画像を生成する画像表示装置であって、
前記画像データを補正するための補正パラメータを前記画像データ出力装置からの補正パラメータ送信要求に基づいて前記画像データ出力装置に出力する機能を有する補正パラメータ処理部と、
前記画像データ出力装置が前記補正パラメータにより補正した補正済み画像データを入力し、該補正済み画像データを前記電気光学変調装置により変調して表示画像を生成する機能を有する画像表示処理部と、
を有することを特徴とする画像表示装置。
【請求項２】
請求項１に記載の画像表示装置において、
前記補正パラメータは、前記電気光学変調装置の個別の特性に基づくデバイス特性補正パラメータであることを特徴とする画像表示装置。
【請求項３】
請求項１または２に記載の画像表示装置において、
前記電気光学変調装置は、液晶表示デバイスであることを特徴とする画像表示装置。
【請求項４】
請求項１〜３のいずれかに記載の画像表示装置において、
前記補正パラメータ処理部は、状況に応じて変動する環境特性補正パラメータを取得する環境特性補正パラメータ取得手段を有し、前記補正パラメータ送信要求に基づいて前記環境特性補正パラメータを出力する機能を有することを特徴とする画像表示装置。
【請求項５】
請求項４に記載の画像表示装置において、
前記補正パラメータ処理部は、前記環境特性補正パラメータを画像データ出力装置に周期的に出力することを特徴とする画像表示装置。
【請求項６】
請求項４または５に記載の画像表示装置において、
前記補正パラメータ処理部は、前記環境特性補正パラメータの値が変化した場合には、前記補正パラメータ送信要求の有無にかかわらず該変化後の値を前記画像データ出力装置に出力することを特徴とする画像表示装置。
【請求項７】
画像データ出力装置から出力される画像データを電気光学変調装置により変調して表示画像を生成する画像表示装置における画像データ処理方法であって、
前記画像データを補正するための補正パラメータを前記画像データ出力装置からの補正パラメータ送信要求に基づいて前記画像データ出力装置に出力するステップと、
前記画像データ出力装置が前記補正パラメータにより補正した補正済み画像データを入力し、該補正済み画像データを前記電気光学変調装置により変調して表示画像を生成するステップと、
を有することを特徴とする画像表示装置における画像データ処理方法。
【請求項８】
画像データ出力装置から出力される画像データを電気光学変調装置により変調して表示画像を生成する画像表示装置における画像データ処理プログラムであって、
前記画像データを補正するための補正パラメータを前記画像データ出力装置からの補正パラメータ送信要求に基づいて前記画像データ出力装置に出力するステップと、
前記画像データ出力装置が前記補正パラメータにより補正した補正済み画像データを入力し、該補正済み画像データを前記電気光学変調装置により変調して表示画像を生成するステップと、
を実行可能とすることを特徴とする画像表示装置における画像データ処理プログラム。
【請求項９】
画像データを電気光学変調装置により変調して表示画像を生成する画像表示装置に対し前記画像データを出力する画像データ出力装置であって、
前記画像表示装置に対して補正パラメータ送信要求を出力する補正パラメータ送信要求出力手段と、
前記画像表示装置から取得した補正パラメータを用いて前記画像データを補正する画像データ補正手段と、
前記画像データ補正手段により補正された補正済み画像データを出力する補正済み画像データ出力手段と、
を有することを特徴する画像データ出力装置。
【請求項１０】
請求項９に記載の画像データ出力装置において、
前記補正パラメータは、前記電気光学変調装置の個別の特性に基づくデバイス特性補正パラメータ及び／又は状況に応じて変動する環境特性補正パラメータであることを特徴とする画像データ出力装置。
【請求項１１】
請求項９または１０に記載の画像データ出力装置において、
前記補正パラメータ送信要求を周期的に出力することを特徴とする画像データ出力装置。
【請求項１２】
画像データを電気光学変調装置により変調して表示画像を生成する画像表示装置に対し前記画像データを出力する画像データ出力装置における画像データ処理方法であって、
前記画像表示装置に対して補正パラメータ送信要求を出力するステップと、
前記画像表示装置から取得した補正パラメータを用いて前記画像データを補正するステップと、
前記画像データ補正手段により補正された補正済み画像データを出力するステップと、
を有することを特徴する画像データ出力装置における画像データ処理方法。
【請求項１３】
画像データを電気光学変調装置により変調して表示画像を生成する画像表示装置に対し前記画像データを出力する画像データ出力装置における画像データ処理プログラムであって、
前記画像表示装置に対して補正パラメータ送信要求を出力するステップと、
前記画像表示装置から取得した補正パラメータを用いて前記画像データを補正するステップと、
前記画像データ補正手段により補正された補正済み画像データを出力するステップと、
を実行可能とすることを特徴する画像データ出力装置における画像データ処理プログラム。
【請求項１４】
画像データ出力装置から出力される画像データを電気光学変調装置により変調して表示画像を生成する画像表示装置と、該画像表示装置で表示すべき画像データを出力する画像データ出力装置とを有する画像表示システムであって、
前記画像データ出力装置は、前記画像表示装置に対して補正パラメータ送信要求を出力する補正パラメータ送信要求出力手段と、前記画像表示装置から取得した補正パラメータを用いて前記画像データを補正する画像データ補正手段と、前記画像データ補正手段により補正された補正済み画像データを出力する補正済み画像データ出力手段とを有し、
前記画像表示装置は、前記画像データを補正するための補正パラメータを前記補正パラメータ送信要求に基づいて前記画像データ出力装置に出力する機能を有する補正パラメータ処理部と、前記画像データ出力装置から出力される前記補正済み画像データを入力して、該補正済み画像データを前記電気光学変調装置により変調して表示画像を生成する機能を有する画像表示処理部とを有する特徴とする画像表示システム。
【請求項１５】
画像データ出力装置から出力される画像データを電気光学変調装置により変調して表示画像を生成する画像表示装置であって、
前記画像データを補正するための補正パラメータに対応して設定された補正パラメータ識別子を前記画像データ出力装置からの補正パラメータ送信要求に基づいて前記画像データ出力装置に出力する機能を有する補正パラメータ処理部と、
前記画像データ出力装置が前記補正パラメータ識別子に対応する補正パラメータを用いて補正した補正済み画像データを入力し、該補正済み画像データを前記電気光学変調装置により変調して表示画像を生成する機能を有する画像表示処理部と、
を有することを特徴とする画像表示装置。
【請求項１６】
画像データ出力装置から出力される画像データを電気光学変調装置により変調して表示画像を生成する画像表示装置における画像データ処理方法であって、
前記画像データを補正するための補正パラメータに対応して設定された補正パラメータ識別子を前記画像データ出力装置からの補正パラメータ送信要求に基づいて前記画像データ出力装置に出力するステップと、
前記画像データ出力装置が前記補正パラメータ識別子に対応する補正パラメータを用いて補正した補正済み画像データを入力し、該補正済み画像データを前記電気光学変調装置により変調して表示画像を生成するステップと、
を有することを特徴とする画像表示装置における画像データ処理方法。
【請求項１７】
画像データ出力装置から出力される画像データを電気光学変調装置により変調して表示画像を生成する画像表示装置における画像データ処理プログラムであって、
前記画像データを補正するための補正パラメータに対応して設定された補正パラメータ識別子を前記画像データ出力装置からの補正パラメータ送信要求に基づいて前記画像データ出力装置に出力するステップと、
前記画像データ出力装置が前記補正パラメータ識別子に対応する補正パラメータを用いて補正した補正済み画像データを入力し、該補正済み画像データを前記電気光学変調装置により変調して表示画像を生成するステップと、
を実行可能とすることを特徴とする画像表示装置における画像データ処理プログラム。
【請求項１８】
画像データを電気光学変調装置により変調して表示画像を生成する画像表示装置に対し前記画像データを出力する画像データ出力装置であって、
前記画像表示装置に対して補正パラメータ送信要求を出力する補正パラメータ送信要求出力手段と、
前記画像表示装置から補正パラメータ識別子を取得して、該補正パラメータ識別子に基づいて補正パラメータを取得する補正パラメータ取得手段と、
前記補正パラメータを用いて前記画像データを補正する画像データ補正手段と、
該画像データ補正手段で補正された補正済み画像データを出力する補正済み画像データ出力手段と、
を有することを特徴する画像データ出力装置。
【請求項１９】
画像データを電気光学変調装置により変調して表示画像を生成する画像表示装置に対し前記画像データを出力する画像データ出力装置における画像データ処理方法であって、
前記画像表示装置に対して補正パラメータ送信要求を出力するステップと、
前記画像表示装置から補正パラメータ識別子を取得して、該補正パラメータ識別子に基づいて補正パラメータを取得するステップと、
前記補正パラメータを用いて前記画像データを補正するステップと、
該画像データ補正手段で補正された補正済み画像データを出力するステップと、
を有することを特徴する画像データ出力装置における画像データ処理方法。
【請求項２０】
画像データを電気光学変調装置により変調して表示画像を生成する画像表示装置に対し前記画像データを出力する画像データ出力装置における画像データ処理プログラムであって、
前記画像表示装置に対して補正パラメータ送信要求を出力するステップと、
前記画像表示装置から補正パラメータ識別子を取得して、該補正パラメータ識別子に基づいて補正パラメータを取得するステップと、
前記補正パラメータを用いて前記画像データを補正するステップと、
該画像データ補正手段で補正された補正済み画像データを出力するステップと、
を実行可能とすることを特徴する画像データ出力装置における画像データ処理プログラム。
【請求項２１】
画像データ出力装置から出力される画像データを電気光学変調装置により変調して表示画像を生成する画像表示装置と、該画像表示装置で表示すべき画像データを出力する画像データ出力装置と、前記画像表示装置を管理する管理サーバとを有する画像表示システムであって、
前記管理サーバは、前記画像データを補正するための補正パラメータに対応して設定された補正パラメータ識別子に対する補正パラメータを記憶する補正パラメータ記憶手段を有し、
前記画像データ出力装置は、前記画像表示装置に対して補正パラメータ送信要求を出力する補正パラメータ送信要求出力手段と、前記画像表示装置から補正パラメータ識別子を取得して、該補正パラメータ識別子に基づいて前記管理サーバから補正パラメータを取得する補正パラメータ取得手段と、前記補正パラメータを用いて前記画像データを補正する画像データ補正手段と、該画像データ補正手段で補正された補正済み画像データを出力する補正済み画像データ出力手段とを有し、
前記画像表示装置は、前記補正パラメータ識別子を前記補正パラメータ送信要求に基づいて前記画像データ出力装置に出力する機能を有する補正パラメータ処理部と、前記画像データ出力装置から出力される前記補正済み画像データを入力し、該前記補正済み画像データを前記電気光学変調装置により変調して表示画像を生成する機能を有する画像表示処理部とを有することを特徴とする画像表示システム。
【発明の詳細な説明】
【技術分野】
【０００１】
本発明は、画像表示装置及び画像表示システムに関し、特にデジタルデータの不正使用を困難なものとする画像表示装置、画像表示装置における画像データ処理方法、画像表示装置における画像データ処理プログラム、画像データ出力装置、画像データ出力装置における画像データ処理方法、画像データ出力装置における画像データ処理プログラム及び画像表示システムに関する。
【背景技術】
【０００２】
デジタルデータは、複製、加工、保存、通信などが容易であると言う特徴がある。これはユーザ側から見れば非常に好ましい特徴であるが、コンテンツの著作権保護と言う観点からは大きな問題となる可能性がある。
【０００３】
デジタルデータの不正使用を防ぐためにデジタルデータを暗号化し、その復号化の鍵により著作権保護を行うと言う方法が通常用いられる。
これは、たとえば、デジタルデータの使用時やデジタルデータの復号化時に、情報再生装置が有する固有の識別情報の確認を行ったり、使用者に対し何らかの認証操作を要求したり、さらには、何らかの課金操作などを要求し、それらの全てが成功した場合にのみ復号処理やデジタルデータの使用を許可すると言うようなものである。
【０００４】
これらは非常に有効な方法ではあるが、重大な問題が残る。つまり、どのような処理が施されていようと、使用者に提示される直前のデータ、すなわち、暗号などが復号化されたあとの動画、静止画、音声、音楽などの各データは、不正に横取りされる可能性があると言うことである。
【０００５】
これらのデータの横取り方法としては、大別して２種がある。その一つは、情報再生装置を不正に改造し、復号化後のデータの電気信号を横取りし、それを外部記録手段により記録すると言う方法である。もう一つは、再生されている動画、静止画、音声、音楽などを、何らかの外部データ入力手段（たとえば、動画カメラ、録音装置など）により入力して記録すると言う方法である。
【０００６】
情報再生装置の不正改造によるデータの不正複製がどのように行われるかについて説明する。たとえば、特許文献１には、情報再生装置として、液晶表示デバイスを用いた画像表示装置の一般的な内部ブロック図（特許文献１の図１）が開示されている。
【０００７】
図１３は特許文献１に示されている図１を簡略化して示す図である。図１３に示すように、画像表示装置の直前においては、画像データは復号化された状態であり、かつ、それを表示位置と対応付けるための何らかのタイミング信号が存在するのが一般的である。
図１３の例では、復号化された画像データが入力される映像信号入力手段と、実際の表示手段においては避けられない表示の「むら」を補正するために、タイミング生成手段と補正信号生成手段とが存在する。
【０００８】
このような構成の画像表示装置において、映像信号入力手段の出力と、タイミング生成手段の出力（図１３の黒丸Ｐ１，Ｐ２部分の出力）を何らかの方法により外部で読み取り可能とすれば、それを記録することにより、暗号などが解除された状態で複製することが可能となる。
【０００９】
このようなことを防止するためには、画像表示装置などの情報再生装置にユーザが手を触れることのできないように情報再生装置を設置したり、情報再生装置内部の所定の回路部分を樹脂などで覆うなど、回路の実装方法を工夫することにより、悪意のあるユーザによる不正な改造を不可能とするしかない。
【００１０】
しかし、このような対策を施しても、もう一つのデータ横取り方法である再生データの外部入力手段による不正複製については効果がない。その一方で、近年、安価なデータ入力手段（動画カメラ、録音装置など）であっても、その性能は急速に向上しつつあり、比較的容易に、かつ、十分に高品質な不正複製が可能になりつつあるという現実がある。
【００１１】
このようなデータ横取りを防ぐ方法として、たとえば、データ入力手段による不正複製を防止する方法としては、特許文献２に記載されるような方法がある。これは、人間の視覚特性と、通常用いられるデータ入力手段の入力特性の差異を用いることにより、不正複製されたデータの品質を著しく劣化させる方法である。
【００１２】
特許文献２においては、通常用いられるＲ（赤）Ｇ（緑）Ｂ(青)系の表示手段の他に、ＲＧＢＹ系の表示手段を持つ。ここでＹは黄色を示す。この２つの表示手段のそれぞれにおいて、人間の視覚においては全く同等の画像を表示するように調整を行う。さらに、それら２つの表示を、時間軸上で、あるいは空間的に混在させて表示を行う。この２つの系（ＲＧＢ系、ＲＧＢＹ系）は人間の視覚においては同等であるように調整されているので、人間はこの２つの系の混在に気づくことはない。
【００１３】
しかし、通常は人間の視覚とは異なる入力特性を持つデータ入力手段においては、この２つは異なったデータとして記録されることになる。それを再生表示すれば、この２つの系の混在の状態が、チラツキやムラとして表示され、非常に大きなデータ品質劣化を起こすことになる。この品質劣化により、不正に複製されたデータを実質的に無意味なものにすることが可能となる。
【００１４】
【特許文献１】特開平１０−８４５５１号公報
【特許文献２】特開２００３−３０２９６０号公報
【発明の開示】
【発明が解決しようとする課題】
【００１５】
データの暗号化によるコンテンツの保護は通常良く用いられる方法ではあるが、復号化後のデータの横取り、さらには、実際に出力されているデータの外部記録装置による横取りに対しては全く効果はないと言う問題があった。
【００１６】
情報再生装置の不正改造によるデータの不正複製を防止するために、前述したように、情報再生装置の設置方法を工夫すると言う方法があった。しかし、これはその装置の使用条件に、非常に厳しい制限をつけることになり、民生用に広く用いることができないと言う問題があった。また、情報再生装置に用いられる回路の実装方法に工夫を施し、不正改造を防止すると言う方法もあった。しかし、これはそのための特殊な部品などを要求し、一般性を欠くと言う問題があった。
【００１７】
また、特許文献２のように、再生された信号を、何らかのデータ入力手段により不正に複製することを防止する方法は、将来の技術において、人間の視覚と特性が完全に一致するような撮像手段が実現すれば無意味となってしまうと言う問題があった。また現時点においても、このような方法は、そのための特殊な装置を必要とし、装置の規模、処理の複雑さが増大すると言う問題があった。また仮に、この装置を民生用に応用しようとした場合においては、前記の装置の不正改造によるデータの不正複製が容易に可能となると言う問題があった。
【００１８】
本発明は、復号化されたデジタルデータの不正使用を困難なものとし、かつ、装置構成を簡単なものとすることができる画像表示装置、画像表示装置における画像データ処理方法、画像表示装置における画像データ処理プログラム、画像データ出力装置、画像データ出力装置における画像データ処理方法、画像データ出力装置における画像データ処理プログラム及び画像表示システムを提供することを目的とする。
【課題を解決するための手段】
【００１９】
（１）本発明の画像表示装置は、画像データ出力装置から出力される画像データを電気光学変調装置により変調して表示画像を生成する画像表示装置であって、前記画像データを補正するための補正パラメータを前記画像データ出力装置からの補正パラメータ送信要求に基づいて前記画像データ出力装置に出力する機能を有する補正パラメータ処理部と、前記画像データ出力装置が前記補正パラメータにより補正した補正済み画像データを入力し、該補正済み画像データを前記電気光学変調装置により変調して表示画像を生成する機能を有する画像表示処理部とを有することを特徴とする。
【００２０】
このように、本発明の画像表示装置（プロジェクタなど）は、画像データを補正するための補正パラメータを画像データ出力装置に出力し、画像データ出力装置によって前記補正パラメータによって補正された補正済み画像データを入力するようにしている。
【００２１】
これにより、画像表示装置内に入力される画像データ（ネットワーク上の画像データを含む）は、いずれの場合も、その画像表示装置用に補正された補正済み画像データとなる。この補正済み画像データは、特定の画像表示装置においてのみ正常な表示が可能となるように補正がなされたものとなる。
【００２２】
このため、たとえば、画像表示装置に入力される直前あるいは入力された直後の復号化された画像データを悪意あるユーザが横取りして、横取りした画像データを他の画像表示装置で表示しようとしても、正常な画質での表示を行うことができない。このように、復号化された画像データを他の画像表示装置で表示しても正常な表示が行えないことから、画像データの不正使用を困難なものとし、著作権保護という観点で大きな効果が得られる。
また、画像表示装置側では画像データの補正処理を行う必要がないため、画像表示装置の構成を非常に簡単なものにすることができる。
【００２３】
（２）前記（１）に記載の画像表示装置においては、前記補正パラメータは、前記電気光学変調装置の個別の特性に基づくデバイス特性補正パラメータであることが好ましい。
このように、補正パラメータを電気光学変調装置の個別の特性に基づくデバイス特性補正パラメータとすることによって、そのデバイス特性補正パラメータによって補正された補正済み画像データは、その電気光学変調装置を搭載した画像表示装置のみにおいて正常な表示が行えるものとなる。
【００２４】
（３）前記（１）又は（２）に記載の画像表示装置においては、前記電気光学変調装置は、液晶表示デバイスであることが好ましい。
液晶表示デバイスは、製造時などに発生する特性差が表示の個体差となって現れる。これは、個々の液晶表示デバイス個別の特性であるため、個々の液晶表示デバイス個別の特性に基づく補正パラメータ（デバイス特性補正パラメータ）を設定する必要がある。したがって、個々の液晶表示デバイス個別の特性に基づくデバイス特性補正パラメータを用いて画像データを補正した補正済み画像データは、その液晶表示デバイスのみで正常な表示を行うことができるものとなる。
【００２５】
（４）前記（１）〜（３）のいずれかに記載の画像表示装置においては、前記補正パラメータ処理部は、状況に応じて変動する環境特性補正パラメータを取得する環境特性補正パラメータ取得手段を有し、前記補正パラメータ送信要求に基づいて前記環境特性補正パラメータを出力する機能を有することが好ましい。
【００２６】
この（４）に記載の画像表示装置は、投写状況などが変化する可能性のあるフロント投写型のプロジェクタなどを想定したものである。なお、環境特性補正パラメータは、たとえば、キーストーン補正情報、投写面の色や環境光などの情報、ユーザが選択した表示モードなどの情報であり、デバイス特性補正パラメ-タに加え、このような環境特性補正パラメータをも補正パラメータとして用いることにより、たとえば、画像表示装置の投写角度を変更したような場合にも、それに応じた適切な補正済み画像データを得ることができる。
【００２７】
また、この補正済み画像データは、特定の画像表示装置の投写状況においてのみ正常な表示が行えるものであるため、その環境特性補正パラメータを用いて補正された補正済み画像データを他の画像表示装置、また同一の画像表示装置であっても表示環境が異なる状態で表示した場合、画質は著しく劣化する可能性が高く、著作権保護の効果をより一層高めことができる。
【００２８】
（５）前記（４）に記載の画像表示装置においては、前記補正パラメータ処理部は、前記環境特性補正パラメータを画像データ出力装置に周期的に出力することが好ましい。
このように、環境特性補正パラメータを周期的に画像データ出力装置に送ることによって、画像表示装置の投写角度などが変化した場合であっても、画像データ出力装置では、その時々の状況に応じた補正パラメータを適切に取得することができるので、状況の変化に対応した適切な補正済み画像データを生成することができる。
【００２９】
（６）前記（４）又は（５）に記載の画像表示装置においては、前記補正パラメータ処理部は、前記環境特性補正パラメータの値が変化した場合には、前記補正パラメータ送信要求の有無にかかわらず該変化後の値を前記画像データ出力装置に出力することもまた好ましい。
このように、画像表示装置の投写状況などが変化した場合には、変化後の値を前記画像データ出力装置に出力することにより、画像表示装置の投写角度などが変化した場合であっても、画像データ出力装置では、状況に応じた補正パラメータを確実に取得することができるので、状況の変化に対応した適切な補正済み画像データを生成することができる。
【００３０】
（７）本発明の画像表示装置における画像データ処理方法は、画像データ出力装置から出力される画像データを電気光学変調装置により変調して表示画像を生成する画像表示装置における画像データ処理方法であって、前記画像データを補正するための補正パラメータを前記画像データ出力装置からの補正パラメータ送信要求に基づいて前記画像データ出力装置に出力するステップと、前記画像データ出力装置が前記補正パラメータにより補正した補正済み画像データを入力し、該補正済み画像データを前記電気光学変調装置により変調して表示画像を生成するステップとを有することを特徴とする。
この画像表示装置における画像データ処理方法によれば、（１）の画像表示装置と同様の効果が得られる。なお、この画像表示装置における画像データ処理方法においても、（２）〜（６）の画像表示装置と同様の特徴を有することが好ましい。
【００３１】
（８）本発明の画像表示装置における画像データ処理プログラムは、画像データ出力装置から出力される画像データを電気光学変調装置により変調して表示画像を生成する画像表示装置における画像データ処理プログラムであって、前記画像データを補正するための補正パラメータを前記画像データ出力装置からの補正パラメータ送信要求に基づいて前記画像データ出力装置に出力するステップと、前記画像データ出力装置が前記補正パラメータにより補正した補正済み画像データを入力し、該補正済み画像データを前記電気光学変調装置により変調して表示画像を生成するステップとを実行可能とすることを特徴とする。
この画像表示装置における画像データ処理プログラムによれば、（１）の画像表示装置と同様の効果が得られる。なお、この画像表示装置における画像データ処理方法においても、（２）〜（６）の画像表示装置と同様の特徴を有することが好ましい。
【００３２】
（９）本発明の画像データ出力装置は、画像データを電気光学変調装置により変調して表示画像を生成する画像表示装置に対し前記画像データを出力する画像データ出力装置であって、前記画像表示装置に対して補正パラメータ送信要求を出力する補正パラメータ送信要求出力手段と、前記画像表示装置から取得した補正パラメータを用いて前記画像データを補正する画像データ補正手段と、前記画像データ補正手段により補正された補正済み画像データを出力する補正済み画像データ出力手段とを有することを特徴とする。
【００３３】
このように、本発明の画像データ出力装置では、画像表示装置（プロジェクタなど）から送られてきた補正パラメータを用いて画像データの補正を行い、その補正済みの画像データを画像表示装置に出力するようにしている。これにより、画像表示装置内に入力される画像データ（ネットワーク上の画像データを含む）は、いずれの場合も、その画像表示装置用に補正された補正済み画像データとなるため、他の画像表示装置では正常な表示が行えない。
このため、たとえば、画像表示装置に入力される直前あるいは入力された直後の復号化された画像データを悪意あるユーザが横取りして、横取りした画像データを他の画像表示装置で表示しようとしても、正常な画質での表示を行うことができない。このように、復号化された画像データを他の画像表示装置で表示しても正常な表示が行えないことから、画像データの不正使用を困難なものとし、著作権保護という観点で大きな効果が得られる。
また、画像データ出力装置側で画像データの補正を行うので、画像表示装置では画像データの補正機能を有する必要がなくなる。これによって画像表示装置の構成を非常に簡単なものにすることができる。
【００３４】
（１０）前記（９）に記載の画像データ出力装置においては、前記補正パラメータは、前記電気光学変調装置の個別の特性に基づくデバイス特性補正パラメータ及び／又は状況に応じて変動する環境特性補正パラメータであることが好ましい。
このように、補正パラメータとして電気光学変調装置の個別の特性に基づくデバイス特性補正パラメータを用いることにより、そのデバイス特性補正パラメータによって補正された補正済み画像データは、その電気光学変調装置を搭載した画像表示装置のみにおいて正常な表示が行えるものとなる。また、補正パラメータとして環境特性性補正パラメータを用いることによって、たとえば、画像表示装置の投写角度を変更したような場合にも、それに応じた適切な補正済み画像データを得ることができる。なお、デバイス特性補正パラメータに加え、環境特性補正パラメータをも補正パラメータとして用いて画像データの補正を行うことで、その補正済み画像データは、特定の画像表示装置にのみにおいて正常な表示がなされるので、画像データの不正使用をより一層困難なものとし、著作権保護の効果をより高めることができる。
【００３５】
（１１）前記（９）または（１０）に記載の画像データ出力装置においては、前記補正パラメータ送信要求を周期的に出力可能とすることが好ましい。
これにより、補正パラメータを周期的に取得することができる。特に、環境特性パラメータを周期的に取得することができるので、画像表示装置の投写角度などが変化した場合であっても、画像データ出力装置では、その時々の状況に応じた補正パラメータを適切に取得することができ、状況の変化に対応した適切な補正済み画像データを生成することができる。なお、デバイス特性補正パラメータは、通常は変化の少ない補正パラメータであるので、その都度、取得する必要はない。
【００３６】
（１２）本発明の画像データ出力装置における画像データ処理方法は、画像データを電気光学変調装置により変調して表示画像を生成する画像表示装置に対し前記画像データを出力する画像データ出力装置における画像データ処理方法であって、前記画像表示装置に対して補正パラメータ送信要求を出力するステップと、前記画像表示装置から取得した補正パラメータを用いて前記画像データを補正するステップと、前記画像データ補正手段により補正された補正済み画像データを出力するステップとを有することを特徴する。
この画像データ出力装置における画像データ処理方法によれば、（９）の画像データ出力装置と同様の効果が得られる。なお、この画像データ出力装置における画像データ処理方法においても、（１０）及び（１１）の画像データ出力装置と同様の特徴を有することが好ましい。
【００３７】
（１３）本発明の画像データ出力装置における画像データ処理プログラムは、画像データを電気光学変調装置により変調して表示画像を生成する画像表示装置に対し前記画像データを出力する画像データ出力装置における画像データ処理プログラムであって、前記画像表示装置に対して補正パラメータ送信要求を出力するステップと、前記画像表示装置から取得した補正パラメータを用いて前記画像データを補正するステップと、前記画像データ補正手段により補正された補正済み画像データを出力するステップとを実行可能とすることを特徴する。
この画像データ出力装置における画像データ処理プログラムによれば、（９）の画像データ出力装置と同様の効果が得られる。なお、この画像データ出力装置における画像データ処理プログラムにおいても、（１０）及び（１１）の画像データ出力装置と同様の特徴を有することが好ましい。
【００３８】
（１４）本発明の画像表示システムは、画像データ出力装置から出力される画像データを電気光学変調装置により変調して表示画像を生成する画像表示装置と、該画像表示装置で表示すべき画像データを出力する画像データ出力装置とを有する画像表示システムであって、前記画像データ出力装置は、前記画像表示装置に対して補正パラメータ送信要求を出力する補正パラメータ送信要求出力手段と、前記画像表示装置から取得した補正パラメータを用いて前記画像データを補正する画像データ補正手段と、前記画像データ補正手段により補正された補正済み画像データを出力する補正済み画像データ出力手段とを有し、前記画像表示装置は、前記画像データを補正するための補正パラメータを前記補正パラメータ送信要求に基づいて前記画像データ出力装置に出力する機能を有する補正パラメータ処理部と、前記画像データ出力装置から出力される前記補正済み画像データを入力して、該補正済み画像データを前記電気光学変調装置により変調して表示画像を生成する画像データ表示手段とを有する特徴とする。
【００３９】
このような画像表示システムを構築することによって、前記（１）に記載した画像表示装置と同様の効果が得られるとともに、画像表示装置で表示すべき画像データに対する補正を画像データ出力装置側で行うので、画像表示装置側では画像データの補正処理を行う必要がない。このため、たとえば、画像表示装置がプロジェクタであれば、プロジェクタはホストベースドプロジェクタあるいはダムプロジェクタの機能となり、その構成を非常に簡単なものにすることができる。
なお、この（１４）に記載の画像表示システムに用いられる画像表示装置は、前記（２）〜（６）の画像表示装置と同様の特徴を有することが好ましい。また、この画像表示システムに用いられる画像データ出力装置は、（１０）及び（１１）の画像データ出力装置と同様の特徴を有することが好ましい。
【００４０】
（１５）本発明の画像表示装置は、画像データ出力装置から出力される画像データを電気光学変調装置により変調して表示画像を生成する画像表示装置であって、前記画像データを補正するための補正パラメータに対応して設定された補正パラメータ識別子を前記画像データ出力装置からの補正パラメータ送信要求に基づいて前記画像データ出力装置に出力する機能を有する補正パラメータ処理部と、前記画像データ出力装置が前記補正パラメータ識別子に対応する補正パラメータを用いて補正した補正済み画像データを入力し、該補正済み画像データを前記電気光学変調装置により変調して表示画像を生成する機能を有する画像表示処理部とを有することを特徴とする。
【００４１】
この（１５）に記載の画像表示装置においても、前記（１）に記載の画像表示装置と同様の効果が得られる。また、この（１５）に記載の画像表示装置では、補正パラメータそのものではなく、補正パラメータに対応して設定された補正パラメータ識別子を記憶するようにしているので、画像表示装置側で記憶するデータ量を少なくすることができる。なお、補正パラメータ識別子としては、画像表示装置を特定可能なシリアル番号などを用いることができる。このように、補正パラメータ識別子として画像表示装置のシリアル番号を用いることにより、画像表示装置の管理などがしやすくなる。
また、（１５）に記載の画像表示装置においても、前記（２）〜（６）の画像表示装置の特徴を有することが好ましい。
【００４２】
（１６）本発明の画像表示装置における画像データ処理方法は、画像データ出力装置から出力される画像データを電気光学変調装置により変調して表示画像を生成する画像表示装置における画像データ処理方法であって、前記画像データを補正するための補正パラメータに対応して設定された補正パラメータ識別子を前記画像データ出力装置からの補正パラメータ送信要求に基づいて前記画像データ出力装置に出力するステップと、前記画像データ出力装置が前記補正パラメータ識別子に対応する補正パラメータを用いて補正した補正済み画像データを入力し、該補正済み画像データを前記電気光学変調装置により変調して表示画像を生成するステップとを有することを特徴とする。
この（１６）に記載の画像表示装置における画像データ処理方法によれば、前記（１５）の画像表示装置と同様の効果が得られる。また、（１６）に記載の画像表示装置における画像データ処理方法においても、前記（２）〜（６）の画像表示装置の特徴を有することが好ましい。
【００４３】
（１７）本発明の画像表示装置における画像データ処理プログラムは、画像データ出力装置から出力される画像データを電気光学変調装置により変調して表示画像を生成する画像表示装置における画像データ処理プログラムであって、前記画像データを補正するための補正パラメータに対応して設定された補正パラメータ識別子を前記画像データ出力装置からの補正パラメータ送信要求に基づいて前記画像データ出力装置に出力するステップと、前記画像データ出力装置が前記補正パラメータ識別子に対応する補正パラメータを用いて補正した補正済み画像データを入力し、該補正済み画像データを前記電気光学変調装置により変調して表示画像を生成するステップとを実行可能とすることを特徴とする。
この（１７）に記載の画像表示装置における画像データ処理プログラムによれば、前記（１５）の画像表示装置と同様の効果が得られる。また、（１７）に記載の画像表示装置における画像データ処理プログラムにおいても、前記（２）〜（６）の画像表示装置と同様の特徴を有することが好ましい。
【００４４】
（１８）本発明の画像データ出力装置は、画像データを電気光学変調装置により変調して表示画像を生成する画像表示装置に対し前記画像データを出力する画像データ出力装置であって、前記画像表示装置に対して補正パラメータ送信要求を出力する補正パラメータ送信要求出力手段と、前記画像表示装置から補正パラメータ識別子を取得して、該補正パラメータ識別子に基づいて補正パラメータを取得する補正パラメータ取得手段と、前記補正パラメータを用いて前記画像データを補正する画像データ補正手段と、該画像データ補正手段で補正された補正済み画像データを出力する補正済み画像データ出力手段とを有することを特徴する。
この（１８）に記載の画像データ出力装置によれば、前記（９）に記載の画像データ出力装置と同様の効果が得られる。また、（１８）に記載の画像データ出力装置においても、前記（１０）及び（１１）の画像データ出力装置と同様の特徴を有することが好ましい。
【００４５】
（１９）本発明の画像データ出力装置における画像データ処理方法は、画像データを電気光学変調装置により変調して表示画像を生成する画像表示装置に対し前記画像データを出力する画像データ出力装置における画像データ処理方法であって、前記画像表示装置に対して補正パラメータ送信要求を出力するステップと、前記画像表示装置から補正パラメータ識別子を取得して、該補正パラメータ識別子に基づいて補正パラメータを取得するステップと、前記補正パラメータを用いて前記画像データを補正するステップと、該画像データ補正手段で補正された補正済み画像データを出力するステップとを有することを特徴する。
この（１９）に記載の画像データ出力装置における画像データ処理方法によれば、前記（９）に記載の画像データ出力装置と同様の効果が得られる。また、（１９）に記載の画像データ出力装置における画像データ出力処理方法においても、前記（１０）及び（１１）の画像データ出力装置と同様の特徴を有することが好ましい。
【００４６】
（２０）本発明の画像データ出力装置における画像データ処理プログラムは、画像データを電気光学変調装置により変調して表示画像を生成する画像表示装置に対し前記画像データを出力する画像データ出力装置における画像データ処理プログラムであって、前記画像表示装置に対して補正パラメータ送信要求を出力するステップと、前記画像表示装置から補正パラメータ識別子を取得して、該補正パラメータ識別子に基づいて補正パラメータを取得するステップと、前記補正パラメータを用いて前記画像データを補正するステップと、該画像データ補正手段で補正された補正済み画像データを出力するステップとを実行可能とすることを特徴する。
この（２０）に記載の画像データ出力装置における画像データ処理プログラムによれば、前記（９）に記載の画像データ出力装置と同様の効果が得られる。また、（２０）に記載の画像データ出力装置における画像データ出力処理プログラムにおいても、前記（１０）及び（１１）の画像データ出力装置と同様の特徴を有することが好ましい。
【００４７】
（２１）本発明の画像表示システムは、画像データ出力装置から出力される画像データを電気光学変調装置により変調して表示画像を生成する画像表示装置と、該画像表示装置で表示すべき画像データを出力する画像データ出力装置と、前記画像表示装置を管理する管理サーバとを有する画像表示システムであって、前記管理サーバは、前記画像データを補正するための補正パラメータに対応して設定された補正パラメータ識別子に対する補正パラメータを記憶する補正パラメータ記憶手段を有し、前記画像データ出力装置は、前記画像表示装置に対して補正パラメータ送信要求を出力する補正パラメータ送信要求出力手段と、前記画像表示装置から補正パラメータ識別子を取得して、該補正パラメータ識別子に基づいて前記管理サーバから補正パラメータを取得する補正パラメータ取得手段と、前記補正パラメータを用いて前記画像データを補正する画像データ補正手段と、該画像データ補正手段で補正された補正済み画像データを出力する補正済み画像データ出力手段とを有し、前記画像表示装置は、前記補正パラメータ識別子を前記補正パラメータ送信要求に基づいて前記画像データ出力装置に出力する機能を有する補正パラメータ処理部と、前記画像データ出力装置から出力される前記補正済み画像データを入力し、該前記補正済み画像データを前記電気光学変調装置により変調して表示画像を生成する機能を有する画像表示処理部とを有することを特徴とする。
【００４８】
このような画像表示システムを構築することによって、前記（１５）に記載した画像表示装置と同様の効果が得られるとともに、画像表示装置で表示すべき画像データに対する補正を画像データ出力装置側で行うので、画像表示装置側では画像データの補正処理を行う必要がない。このため、たとえば、画像表示装置がプロジェクタであれば、プロジェクタはホストベースドプロジェクタあるいはダムプロジェクタの機能となり、その構成を非常に簡単なものにすることができる。
【００４９】
また、（２１）の画像表示システムでは、第三者的なサーバである管理サーバが設けられており、この管理サーバで画像表示装置の補正パラメータ識別子に対応した補正パラメータを保持しているので、画像表示装置に対する課金管理など様々な管理を行うことも可能である。
また、この（２１）に記載の画像表示システムに用いられる画像表示装置は、前記（２）〜（６）の画像表示装置と同様の特徴を有することが好ましい。また、この画像表示システムに用いられる画像データ出力装置は、前記（１０）及び（１１）の画像データ出力装置と同様の特徴を有することが好ましい。
【発明を実施するための最良の形態】
【００５０】
以下、本発明の実施形態について説明する。なお、以下の各実施形態で説明する内容は、本発明の画像表示装置、画像表示装置における画像データ処理方法、画像表示装置における画像データ処理プログラム、画像データ出力装置、画像データ出力装置における画像データ処理方法、画像データ出力装置における画像データ処理プログラム及び画像表示システムの説明を含むものである。
【００５１】
[実施形態１]
図１は本発明の実施形態１に係る画像表示装置１０Ａの構成を示す図である。実施形態１に係る画像表示装置１０Ａは、リア型の液晶プロジェクタや直視型の液晶表示装置などを想定している。
【００５２】
実施形態１に係る画像表示装置１０Ａの構成を大別すると、画像表示処理部１１と補正パラメータ処理部１２とを有した構成となっている。これら画像表示処理部１１と補正パラメータ処理部１２は、それぞれが連携して動作するものではなく、個々に独立して動作を行うものである。
【００５３】
画像表示処理部１１は、補正済み画像データを入力する補正済み画像データ入力手段１１１と補正済み画像データ入力手段１１１に入力された補正済み画像データを表示する画像データ表示手段１１２を有している。
【００５４】
画像表示処理部１１は、図１では図示されない画像データ出力装置から出力される画像データ（画像表示処理部１１で適切に表示可能となるようにすでに補正がなされたあとの補正済み画像データ）を補正済み画像データ入力手段１１１が受け取って、その補正済み画像データを画像データ表示手段１１２で表示を行う。なお、補正済み画像データ表示手段１１２は、画像データを電気光学変調装置（液晶表示デバイスとする）により変調して表示画像を生成する画像データ表示手段であるとする。
【００５５】
一方、補正パラメータ処理部１２は、補正パラメータ記憶手段１２１、補正パラメータ出力手段１２２、補正パラメータ送信要求入力手段１２３を有している。この補正パラメータ処理部１２の概略的な機能としては、図１では図示されない画像データ出力装置からの補正パラメータ送信要求を補正パラメータ送信要求入力手段１２３が受け取ると、補正パラメータ記憶手段１２１に記憶されている補正パラメータが補正パラメータ出力手段１２２によって画像データ出力装置に出力される。
【００５６】
補正パラメータ記憶手段１２１は、画像表示装置１０Ａに対応する補正パラメータを記憶するものであり、たとえばＲＯＭなどが用いられる。また、補正パラメータ記憶手段１２１が記憶する補正パラメータとしては、たとえば、その画像表示装置１０Ａに用いられる液晶表示デバイス個別の特性に基づく補正パラメータである。なお、この液晶表示デバイス個別の特性に基づく補正パラメータであるので、デバイス特性補正パラメータと呼ぶことにする。
【００５７】
図２は実施形態１に係る画像表示装置１０Ａと、この画像表示装置１０Ａで表示すべき画像データを出力する画像データ出力装置２０とを有する画像表示システムの構成を説明する図である。図２の画像表示システムに用いられる画像表示装置１０Ａの構成は図１と同じである。なお、画像データ出力装置２０としては、たとえば、パーソナルコンピュータなどを用いることができる。
【００５８】
図２の画像表示システムに用いられる画像データ出力装置２０は、画像表示装置１０Ａに対して補正パラメータ送信要求を出力する補正パラメータ送信要求出力手段２１、画像表示装置１０Ａから送られてきた補正パラメータを入力する補正パラメータ入力手段２２、画像表示装置１０Ａで表示すべき画像データを入力する画像データ入力手段２３、画像表示装置１０Ａで表示すべき画像データを補正パラメータ入力手段２２に入力された補正パラメータを用いて補正する画像データ補正手段２４、画像データ補正手段２４で補正された補正済み画像データを画像表示装置１０Ａに出力する補正済み画像データ出力手段２５を有している。この補正済み画像データ出力手段２５から出力される補正済み画像データは、画像表示装置１０Ａの補正済み画像データ入力手段１１１に送られる。
【００５９】
図３は図２に示した画像表示システムの処理シーケンスを説明する図である。図３において、まず、サーバ側である画像データ出力装置２０からクライアント側である画像表示装置１０Ａに対して補正パラメータ送信要求が出されると（ステップＳ１）、画像表示装置１０Ａではその補正パラメータ送信要求を補正パラメータ処理部１２の補正パラメータ送信要求入力手段１２３が受け取る。
【００６０】
これにより、画像表示装置１０Ａの補正パラメータ処理部１２では、補正パラメータ記憶手段１２１に記憶されている補正パラメータを読み出して補正パラメータ出力手段１２２により画像データ出力装置２０に送信する（ステップＳ２）。この補正パラメータは、前述したように、画像表示装置１０Ａに用いられる液晶表示デバイス個別の特性などに基づくデバイス特性補正パラメータである。
【００６１】
画像データ出力装置２０は、画像表示装置１０Ａから出力されたデバイス特性補正パラメータを補正パラメータ入力手段２２で受け取る。画像データ出力装置２０の画像データ補正手段２４では、受け取ったデバイス特性補正パラメータを用いて画像表示装置１０Ａで表示すべき画像データに対し補正処理を施す。
【００６２】
そして、補正処理のなされた補正済み画像データが補正済み画像データ出力手段２５により画像表示装置１０Ａに順次出力される（ステップＳ３）。
これにより、画像表示装置１０Ａでは、画像データ出力装置２０から順次送られてくる補正済み画像データ（図３の太線矢印で示す）を画像表示処理部１１の補正済み画像データ入力手段１１１が受け取り、その補正済み画像データが画像データ表示手段１１２によって表示される。
【００６３】
以上説明したように、実施形態１においては、画像データ出力装置２０側では、画像表示装置１０Ａで表示すべき画像データを画像表示装置１０Ａのデバイス特性補正パラメータを用いて補正を行い、補正済み画像データとして画像表示装置１０Ａに送るようにしている。そして、画像表示装置１０Ａ側では、画像データ出力装置２０から送られてきた補正済み画像データを画像データ表示手段１１２で表示するようにしている。
【００６４】
このように、画像表示装置１０Ａには、該画像表示装置１０Ａに搭載されている液晶表示デバイス個別の特性に基づくデバイス特性補正パラメータを用いて補正された補正済み画像データが入力される。したがって、仮に、該補正済み画像データが復号化されたあとで悪意あるユーザに横取りされたとしても、その横取りされた補正済み画像データは、画像表示装置１０Ａでのみ正常な表示が行える画像データとなっている。このため、その補正済み画像データを用いて、他の画像表示装置で表示させたとしても、正常な画質での表示を行うことができない。
【００６５】
図４〜図６は、ある特定の画像表示装置個別の特性に基づくデバイス特性補正パラメータによる画像データ補正について説明する図である。
【００６６】
図４はある液晶表示デバイス（液晶表示デバイスＬＣ１とする）個別の特性差が、例えば「ムラ」として現れた場合を示す図である。表示デバイス個別の特性差は、どのようなものでも表示品質の劣化につながり、高品質な表示を行うには、このような個別の特性差を補正する必要がある。個別の特性差の具体例としては、入出力特性の非線形性の差、時間応答特性の差、透過率の差、反射率の差、開口率の差、偏光特性の差などが容易に考えられるが、画質に影響を与える特性は、これに留まるものではない。説明を簡単するために、図４において、矢印Ｌの部分の輝度分布を１次元データとして取り出すものとする。
【００６７】
図５は図４に示す液晶表示デバイスＬＣ１によって白を出力する場合の輝度と理想的な輝度とを比較して示す図である。なお、図５（Ａ）は図４の矢印Ｌの部分における輝度分布を１次元データとして取り出したものであり、理想的な輝度分布ｙ１を太線で示し、実際の輝度分布ｙ２を細線で示している。
【００６８】
図５（Ａ）からも明らかなように、液晶表示デバイスＬＣ１個別の特性である輝度特性のバラツキ（以下、単純に「輝度ムラ」と記述する）によって、実際の輝度分布ｙ２は理想的な輝度分布ｙ１と異なったものとなり、高品質な画像表示とするにはこれを補正する必要がある。そこで、図５（Ｂ）に示すように、液晶表示デバイスＬＣ１個別の特性に基づくデバイス特性補正パラメータによる補正信号を加える。
【００６９】
この図５（Ｂ）に示すような液晶表示デバイスＬＣ１個別の特性に基づくデバイス特性補正パラメータによる補正信号を加えることにより、液晶表示デバイスＬＣ１の輝度分布は、図５（Ｃ）に示すような理想的な輝度分布ｙ１となる。ただし、補正量は画像データの諧調などにも依存する非線形な値を持つため、単純に１つの数字の加算あるいは乗算によって補正がなされるものではない。
【００７０】
以上の図５（Ａ），（Ｂ），（Ｃ）は、図４に示すような「輝度ムラ」を有する液晶表示デバイスＬＣ１個別の特性に基づくデバイス特性補正パラメータを用いて補正を行った場合であった。この場合は、液晶表示デバイスＬＣ１個別の特性に基づくデバイス特性補正パラメータによる補正信号が加えられているので、該液晶表示デバイスＬＣ１個別の特性の一つである「輝度ムラ」が補正された高品質な画像表示が行える。しかし、このデバイス特性補正パラメータを特性の異なる他の液晶表示デバイス（液晶表示デバイスＬＣ２とする）を用いた画像表示装置に適用したとしても高品質な画像がえられるとは限らず、むしろ、より劣化した画像となる可能性が高い。これを説明するものが図６である。
【００７１】
図６は図４で示した特性とは異なる特性を有する液晶表示デバイスＬＣ２において、白を表示した場合の輝度分布を示す図である。この場合も、図６（Ａ）に示すように、液晶表示デバイスＬＣ２個別の特性の一つである「輝度ムラ」によって、実際の輝度分布ｙ２は理想的な輝度分布ｙ１と異なったものとなる。
【００７２】
この図６（Ａ）に示すような特性を有する液晶表示デバイスＬＣ２を用いた画像表示装置に、図６（Ｂ）に示すような補正信号（液晶表示デバイスＬＣ１と同じ補正パラメータによる補正信号）を与えたとすると、図６（Ｃ）に示すような輝度分布となり、理想的な輝度分布ｙ１からは、さらにかけ離れた輝度分布となる。
【００７３】
この図６からも明らかなように、ある個別の特性を有する液晶表示デバイスの補正パラメータを用いた補正信号を、それとは異なる特性を有する液晶表示デバイスに与えても、決して高品質な画像がえられるとは限らず、より劣化した画像となる可能性が高い。
【００７４】
以上説明したように、実施形態１によれば、画像表示装置１０Ａに入力される画像データあるいは画像表示装置１０Ａに入力される前段階（ネットワーク上など）における画像データは、いずれの場合も、その画像表示装置１０Ａの画像表示素子（液晶表示デバイスなど）個別の特性に基づくデバイス特性補正パラメータを用いて補正された補正済み画像データとなる。
【００７５】
この補正済み画像データは、そのデバイス特性補正パラメータに対応する液晶表示デバイスにおいてのみ正常な補正がなされ、その他の液晶表示デバイスおいては、むしろ品質を劣化させるものとなる。
【００７６】
このため、たとえば、図１における補正済み画像データ入力手段１１１の直前あるいは直後の復号化された画像データ（補正済み画像データ）を悪意あるユーザが横取りして、横取りした画像データを画像表示装置１０Ａ以外の他の画像表示装置で表示しようとしても、正常な画質での表示を行うことができない。
【００７７】
このように、復号化された画像データを他の画像表示装置で表示しても正常な表示が行えないことから、画像データの不正使用を困難なものとし、著作権保護という観点で大きな効果が得られる。
【００７８】
また、画像表示装置１０Ａでは画像データの補正処理を行わないので、たとえば、画像表示装置１０Ａがプロジェクタであれば、プロジェクタはホストベースドプロジェクタあるいはダムプロジェクタの機能となり、その構成を非常に簡単なものにすることができる。
【００７９】
また、画像データの補正処理を画像表示装置１０Ａから見た場合、外部（画像データ出力装置２０）に依存するために、必ず外部との通信を必要とする。そのため、著作権管理をより確実にすることができるといった効果も得られる。
【００８０】
[実施形態２]
図７は実施形態２に係る画像表示装置１０Ｂの構成を示す図である。実施形態２に係る画像表示装置１０Ｂは、たとえば、前面投写型のプロジェクタなどを想定している。前面投写型のプロジェクタは、プロジェクタの設置位置や投写角度、環境光、スクリーンなどの投写面の色、ユーザの選択した表示モードなどによって補正パラメータが異なる。そのため、補正パラメータをプロジェクタなどの画像表示装置の使用時にその使用環境下で取得する必要がある。
【００８１】
したがって、実施形態２に係る画像表示装置１０Ｂは、補正パラメータ処理部１２が補正パラメータ取得手段１２４を有する。実施形態２に係る画像表示装置１０Ｂが実施形態１に係る画像表示装置１０Ａと異なるのは、補正パラメータ取得手段１２４を有する点であり、そのほかの構成は図１と同様である。
【００８２】
補正パラメータ取得手段１２４は、状況に応じて変化する補正パラメータをプロジェクタなどの画像表示装置の使用時にその使用環境下で取得するためのものである。なお、補正パラメータ取得手段１２４が取得する補正パラメータを環境特性補正パラメータと呼ぶことにする。
【００８３】
補正パラメータ取得手段１２４が取得する環境特性補正パラメータとしては、キーストーン補正情報、投写面の色や凹凸、環境光などの情報、ユーザが選択した表示モードなどの情報である。これらの情報を取得する手段としては、たとえば、画像表示装置１０Ｂがプロジェクタであればプロジェクタの脚の高さ調節を行うメカニカルスイッチ、プロジェクタの傾きを検出する角度センサ、環境光の強さを検出する光センサ、表示された画像を撮像するカメラなどであり、これらから得られる情報を環境特性補正パラメータとする。
【００８４】
図８は実施形態２に係る画像表示装置１０Ｂと、この画像表示装置１０Ｂで表示すべき画像データを出力する画像データ出力装置２０とを有する画像表示システムの構成を説明する図である。画像データ出力装置２０の構成は、図２で示した画像データ出力装置２０と同様である。なお、画像データ出力装置２０はその構成としては図２と同様であるが、画像データ出力装置２０の画像データ補正手段２４が行う画像データ補正は、実施形態１で行われる補正内容に付加される補正内容が存在する。
【００８５】
図９は図８に示した画像表示システムの処理シーケンスを説明する図である。図９において、まず、画像データ出力装置２０から画像表示装置１０Ｂに対して補正パラメータ送信要求が出されると（ステップＳ１１）、画像表示装置１０Ｂではその補正パラメータ送信要求を補正パラメータ送信要求入力手段１２３が受け取る。
【００８６】
これにより、画像表示装置１０Ｂの補正パラメータ処理部１２では、補正パラメータ記憶手段１２１に記憶されているデバイス特性補正パラメータ及び補正パラメータ取得手段１２４で取得された環境特性補正パラメータを補正パラメータ出力手段１２２により画像データ出力装置２０に送信する（ステップＳ１２）。
【００８７】
画像データ出力装置２０は、画像表示装置１０Ｂから送られてきたデバイス特性補正パラメータ及び環境特性補正パラメータを補正パラメータ入力手段２２で受け取る。画像データ出力装置２０の画像データ補正手段２４では、受け取ったデバイス特性補正パラメータと環境特性補正パラメータとを用いて画像表示装置１０Ｂで表示すべき画像データに対し補正処理を施す。
そして、補正処理のなされた補正済み画像データが補正済み画像データ出力手段２５により画像表示装置１０Ｂに順次出力される（ステップＳ１３）。
【００８８】
この実施形態２においては、図９からも明らかなように、画像データ出力装置２０からの補正パラメータ送信要求は、所定の周期で出力され、それによって、画像表示装置１０Ｂからは補正パラメータが所定の周期で画像データ出力装置２０に出力される。これは、画像表示装置１０Ｂの補正パラメータ取得手段１２４で取得される環境特性補正パラメータは状況に応じて変化し得るからである。
【００８９】
図９の例では、時刻ｔ１で画像データ出力装置２０から補正パラメータ送信要求が出力されたあと、所定時間後の時刻ｔ２で再び画像データ出力装置２０から補正パラメータ送信要求が出力されている（ステップＳ１４）。
【００９０】
この補正パラメータ送信要求に対し画像表示装置１０Ｂは補正パラメータの送信を行う（ステップＳ１５）。このとき、画像表示装置１０Ｂから送信される補正パラメータは、環境特性補正パラメータのみであってもよい。
これは、デバイス特性補正パラメータは、通常は変化の少ない補正パラメータであるので、このデバイス特性補正パラメータは、その都度、送信する必要はないからである。したがって、最初の補正パラメータ送信要求（ステップＳ１１）のときに送られたデバイス特性補正パラメータを画像データ出力装置２０側で保持しておけば、画像データ出力装置２０では、保持したデバイス特性補正パラメータをそれ以降の補正処理においても用いることができる。
【００９１】
このようにして、画像表示装置１０Ｂから所定の周期で環境特性補正パラメータが送信されると、画像データ出力装置２０では、送信されてきた環境特性補正パラメータ及び保持されているデバイス特性補正パラメータによる補正処理を行い、補正処理のなされた補正済み画像データを補正済み画像データ出力手段２５により画像表示装置１０Ｂに順次出力する（ステップＳ１６）。
【００９２】
また、画像データ出力装置２０からの補正パラメータ送信要求が無くても、画像表示装置１０Ｂ側で自発的に環境特性補正パラメータを画像データ出力装置２０に出力するようにしてもよい。これは、ユーザが何らかの操作（たとえば、画像表示装置１０Ｂをスクリーンに対して投写角度を少し変える操作など）を行ったような場合、それに対応して取得された環境特性補正パラメータを画像データ出力装置２０に出力するというものである。
【００９３】
図９の例では、時刻ｔ３において、画像表示装置１０Ｂから画像データ出力装置２０に対する補正パラメータ送信（ステップＳ１７）がこれに相当する。この場合も、画像データ出力装置２０からは、それに対応する補正済み画像データが画像表示装置１０Ｂに送信される（ステップＳ１８）。
【００９４】
なお、画像データ出力装置２０からの補正パラメータ送信要求を、たとえば、０．５秒ごとというように、短い周期で画像表示装置１０Ｂに出力するようにすれば、画像データ出力装置２０側では、状況の変化に応じた環境特性補正パラメータを適切に取得することができる。
【００９５】
このように、短い周期で補正パラメータ送信要求を画像表示装置１０Ｂ側に出力すれば、画像表示装置１０Ｂ側からサーバ側に自発的に補正パラメータを出力する操作（ステップＳ１７）は必ずしも行う必要はない。
【００９６】
以上説明したように、実施形態２によれば、実施形態１と同様の効果が得られるほか、実施形態２においては、画像表示装置１０Ｂは、状況に応じて変動する補正パラメータを環境特性補正パラメータとして取得して、その環境特性補正パラメータを画像データ出力装置２０に送り、画像データ出力装置２０では、デバイス特性補正パラメータに加えて環境特性補正パラメータを用いて、画像データの補正を行うようにしている。
【００９７】
これにより、たとえば、画像表示装置の投写角度などが変化した場合であっても、画像データ出力装置では、状況に応じた補正パラメータを取得することができるので、状況の変化に対応した適切な補正済み画像データを生成することができる。
【００９８】
また、実施形態２においても実施形態１と同様、画像データ出力装置２０から出力される補正済み画像データは、特定の画像表示装置のみに対応したものであるため、仮に、悪意あるユーがその補正済み画像データを横取りして、横取りした補正済み画像データを他の画像表示装置で表示しようとしても、正常な画像表示を行うことができない。
【００９９】
特に、実施形態２の場合、画像表示装置１０Ｂの投写状況などに応じて取得された環境特性補正パラメータをも用いた補正処理がなされているので、その補正済み画像データは、画像表示装置１０Ｂのそのときの投写状況のみにおいて正常な表示がなされる。したがって、その補正済み画像データを他の画像表示装置で表示したとしても、正常な画像表示を行うことができないことは明らかである。これにより、画像データの不正使用を困難なものとし、著作権保護の効果をより高めることができる。
【０１００】
[実施形態３]
図１０は実施形態３に係る画像表示装置１０Ｃの構成を示す図である。実施形態３に係る画像表示装置１０Ｃが実施形態２に係る画像表示装置１０Ｂと異なるのは、補正パラメータ記憶手段１２１に記憶される内容がデバイス特性補正パラメータではなく、当該画像表示装置１０Ｃに対するデバイス特性補正パラメータに対応して設定された補正パラメータ識別子である点である。したがって、実施形態３に限っては、補正パラメータ記憶手段１２１は、補正パラメータ識別子記憶手段１２１と呼ぶことにする。その他の構成は図７と同様である。
【０１０１】
なお、補正パラメータ識別子としては、たとえば、画像表示装置１０Ｃを特定可能な情報（たとえば、画像表示装置１０Ｃに与えられた固有のシリアル番号）などを用いることができる。
【０１０２】
実施形態３に係る画像表示装置１０Ｃは、実施形態２と同様、たとえば、前面投写型のプロジェクタなどを想定している。したがって、補正パラメータ取得手段１２４では、実施形態２と同様、キーストーン補正情報、投写面の色や環境光などの情報、ユーザが選択した表示モードなどの情報などを環境特性補正パラメータとして取得する。
【０１０３】
図１１は実施形態３に係る画像表示装置１０Ｃと、この画像表示装置１０Ｃで表示すべき画像データを出力する画像データ出力装置２０と、画像表示装置１０Ｃを管理する機能を有する管理サーバ３０とを有する画像表示システムの構成を説明する図である。
【０１０４】
画像データ出力装置２０は、図８で示した画像データ出力装置２０とほぼ同様の構成であるが、画像表示装置１０Ｃから送られてきた補正パラメータ識別子に基づいて、管理サーバ３０から補正パラメータ（デバイス特性補正パラメータ）を取得する補正パラメータ取得手段２６を有している。
【０１０５】
また、管理サーバ３０は、画像表示装置１０Ｃの補正パラメータ識別子に対応したデバイス特性補正パラメータを記憶する補正パラメータ記憶手段３１を有する。この補正パラメータ記憶手段３１は、管理サーバ３０が管理すべき画像表示装置が複数存在する場合には、各画像表示装置ごとの補正パラメータ取得用識別子に対応したデバイス特性補正パラメータを記憶している。また、管理サーバ３０は、各画像表示装置に対し、著作権保護に対する課金管理などを行う機能をも有することが好ましい。
【０１０６】
図１２は図１１に示した画像表示システムの処理シーケンスを説明する図である。図１２において、ステップＳ２１，Ｓ２２は図８のステップＳ１１，Ｓ１２と同じ動作である。ただし、この実施形態３では、画像表示装置１０Ｃから送られてくる補正パラメータは、補正パラメータ識別子記憶手段１２１に記憶されている補正パラメータ識別子と補正パラメータ取得手段１２４で取得された環境特性補正パラメータである。
【０１０７】
画像データ出力装置２０がこれら補正パラメータ識別子と環境特性補正パラメータを受け取ると、管理サーバ３０に対して、補正パラメータ識別子による補正パラメータ（デバイス特性補正パラメータ）要求を送信する（ステップＳ２３）。なお、環境特性補正パラメータは画像データ出力装置２０で一時的に保持される。
【０１０８】
管理サーバ３０は、画像データ出力装置２０から送られてきた補正パラメータ識別子による補正パラメータ（デバイス特性補正パラメータ）要求を受け取ると、その補正パラメータ識別子に対応する補正パラメータ（デバイス特性補正パラメータ）を画像データ出力装置２０に送信する（ステップＳ２４）。
【０１０９】
画像データ出力装置２０は、管理サーバ３０から送られてきたデバイス特性補正パラメータと、画像表示装置１０Ｃから送られてきた環境特性補正パラメータに基づいて画像表示装置１０Ｃで表示すべき画像データの補正処理を行う。そして、その補正済み画像データを画像表示装置１０Ｃに送信する（ステップＳ２５）。これ以降の動作（ステップＳ２６，Ｓ２７，Ｓ２８）は、実施形態２の動作（図９のステップＳ１４、Ｓ１５，Ｓ１６）と同様である。
【０１１０】
また、実施形態２で説明したように、画像データ出力装置２０からの補正パラメータ送信要求が無くても、画像表示装置１０Ｃ側で自発的に環境特性補正パラメータを画像データ出力装置２０に出力するようにしてもよい。
同様に、実施形態２で説明したように、画像データ出力装置２０からの補正パラメータ送信要求を、たとえば、０．５秒ごとというように、短い周期で出力するようにすれば、画像データ出力装置２０側では、状況の変化に応じた環境特性補正パラメータを適切に取得することができる。
【０１１１】
このように、短い周期で補正パラメータ送信要求を画像表示装置１０Ｃに出力すれば、画像表示装置１０Ｃから画像データ出力装置２０に自発的に補正パラメータを出力する操作は必ずしも行う必要はない。
【０１１２】
また、デバイス特性補正パラメータは、通常は変化の少ない補正パラメータであるので、画像データ出力装置２０は、デバイス特性補正パラメータを、その都度、管理サーバ３０から取得する必要はない。すなわち、最初の補正パラメータ識別子による補正パラメータ送信要求（ステップＳ２３）によって管理サーバ３０から送られたデバイス特性補正パラメータを画像データ出力装置２０側で保持しておけば、画像データ出力装置２０では、保持したデバイス特性補正パラメータをそれ以降の補正処理においても用いることができる。
【０１１３】
なお、図１２の例では、ステップＳ２１の補正パラメータ送信要求、すなわち、画像データ出力装置２０から画像表示装置１０Ｃに対する補正パラメータ送信要求は、補正パラメータ識別子と環境特性補正パラメータの両方含む補正パラメータ送信要求とした例で説明したが、補正パラメータ識別子に対する送信要求としての補正パラメータ識別子送信要求と、環境特性補正パラメータに対する送信要求としての環境特性補正パラメータ送信要求とを別々に画像データ出力装置２０から画像表示装置１０Ｃに出力するようにしてもよい。
【０１１４】
また、上述の例では、デバイス特性補正パラメータは管理サーバ３０が保持し、環境特性補正パラメータは、画像表示装置１０Ｃから画像データ出力装置２０に送信されたあとは、画像データ出力装置２０が保持するようにしたが、画像表示装置１０Ｃから画像データ出力装置２０に送られてきた環境特性補正パラメータを画像データ出力装置２０が管理サーバ３０に渡し、管理サーバ３０側で環境特性補正パラメータを当該画像表示装置１０Ｃの識別子に対応付けて保存するようにしてもよい。
【０１１５】
以上説明したように実施形態３によれば、実施形態１及び実施形態２で説明したと同様の効果が得られる。また、実施形態３においては、管理サーバ３０が画像表示装置１０Ｃの補正パラメータ識別子に対応付けてデバイス特性補正パラメータを記憶するようにしている。
【０１１６】
これにより、画像表示装置１０Ｃで画像表示を行う場合には、必ず、画像データ出力装置２０が第三者的なサーバである管理サーバ３０からデバイス特性補正パラメータを受けとって補正を行うことになるため、画像表示装置１０Ｃの管理がしやすくなり、また、著作権保護のための課金なども行うことができる。
【０１１７】
なお、本発明は上述の実施の形態に限られるものではなく、本発明の要旨を逸脱しない範囲で種々変形実施可能となるものである。たとえば、実施形態２，３においては、画像表示装置１０Ｂ，１０Ｃの補正パラメータ取得手段１２４が取得する情報としては、前述したキーストーン補正情報、投写面の色や環境光などの情報、ユーザが選択した表示モードなどの情報の他に、たとえば、液晶表示デバイスの劣化、ランプの劣化など、画像データ表示手段１１２に用いられる各部品の経時変化の情報を取得するようにしてもよい。
【０１１８】
また、前述の各実施形態では、各画像表示装置１０Ａ，１０Ｂ，１０Ｃの画像データ表示手段１１２に用いられる電気光学変調装置として液晶表示デバイスを用いた例について説明したが、液晶表示デバイスに限られるものではない。
また、本発明は以上説明した本発明を実現するための画像表示装置における画像データ処理手順が記述された画像表示装置における画像データ処理プログラム及び画像データ出力装置における画像データ処理手順が記述された画像データ出力装置における画像データ処理プログラムを作成し、これら画像表示装置における画像データ処理プログラム及び画像データ出力装置における画像データ処理プログラムをフロッピィディスク、光ディスク、ハードディスクなどの記録媒体に記録させておくこともできる。したがって、本発明は、画像表示装置における画像データ処理プログラム及び画像データ出力装置における画像データ処理プログラムの記録された記録媒体をも含むものである。また、ネットワークからこれらの画像表示装置における画像データ処理プログラム及び画像データ出力装置における画像データ処理プログラムを得るようにしてもよい。
【図面の簡単な説明】
【０１１９】
【図１】本発明の実施形態１に係る画像表示装置の構成を示す図。
【図２】実施形態１に係る画像表示装置と、この画像表示装置で表示すべき画像データを出力する画像データ出力装置側とを有する画像表示システムの構成を説明する図。
【図３】図２に示した画像表示システムの処理シーケンスを説明する図。
【図４】ある液晶表示デバイス個別の特性の一例として「ムラ」を示す図。
【図５】図４に示す液晶表示デバイスによって白を出力する場合の輝度と理想的な輝度と比較して示す図。
【図６】図４で示した特性とは異なる特性を有する液晶表示デバイスにおいて、白を表示した場合の輝度分布を示す図。
【図７】実施形態２に係る画像表示装置の構成を示す図。
【図８】実施形態２に係る画像表示装置と、この画像表示装置で表示すべき画像データを出力する画像データ出力装置側とを有する画像表示システムの構成を説明する図。
【図９】図８に示した画像表示システムの処理シーケンスを説明する図。
【図１０】実施形態３に係る画像表示装置の構成を示す図。
【図１１】実施形態３に係る画像表示装置と、この画像表示装置で表示すべき画像データを出力する画像データ出力装置と、画像表示装置を管理する機能を有する管理サーバとを有するを有する画像表示システムの構成を説明する図。
【図１２】図１１に示した画像表示システムの処理シーケンスを説明する図。
【図１３】特許文献１に示されている図１を簡略化して示す図。
【符号の説明】
【０１２０】
１０Ａ・・・実施形態１に係る画像表示装置、１０Ｂ・・・実施形態２に係る画像表示装置、１０Ｃ・・・実施形態３に係る画像表示装置、１１・・・画像表示処理部、１２・・・補正パラメータ処理部、２０・・・画像データ出力装置、３０・・・管理サーバ
【図１】
2006171390.tif 000003
【図２】
2006171390.tif 000004
【図３】
2006171390.tif 000005
【図５】
2006171390.tif 000006
【図６】
2006171390.tif 000007
【図７】
2006171390.tif 000008
【図８】
2006171390.tif 000009
【図９】
2006171390.tif 000010
【図１０】
2006171390.tif 000011
【図１１】
2006171390.tif 000012
【図１２】
2006171390.tif 000013
【図１３】
2006171390.tif 000014
【図４】
2006171390.tif 000015